(57)【要約】【課題】光記録媒体上にあるデフェクト等による凹凸部が存在しても、ＳＩＬなどの光ヘッド部の端面と光記録媒体との間のギャップを安定して略一定に保持する光学ピックアップ装置を提供する。【解決手段】光源３と、光源３からの複数の光を光記録媒体９に照射させる光学部４１と、光記録媒体９に対向して配置され、光源３から出射された複数の光を近接場光として光記録媒体９の記録面に集光させるヘッド部４２と、このヘッド部４２と光記録媒体９の記録面との距離を調整する駆動部４３と、ヘッド部４２と光記録媒体９の記録面との距離を、光記録媒体９からの複数の戻り光量により検出する光検出部４４と、光検出部４４により検出された距離に基づき、記録面に対するヘッドの距離を一定に保持するように駆動部４３を制御するギャップ制御部４５とを少なくとも具備する。【選択図】図１ 
2005332447.tif 000002
【特許請求の範囲】
【請求項１】
光源と、
前記光源からの複数の光を光記録媒体に照射させる光学部と、
前記光記録媒体に対向して配置され、前記光源から出射された前記複数の光を近接場光として前記光記録媒体の記録面に集光させるヘッド部と、
前記ヘッド部と前記光記録媒体の前記記録面との距離を調整する駆動部と、
前記ヘッド部と前記光記録媒体の前記記録面との距離を、前記光記録媒体からの複数の戻り光量により検出する光検出部と、
前記光検出部により検出された前記距離に基づき、前記記録面に対する前記ヘッドの距離を一定に保持するように前記駆動部を制御するギャップ制御部と、を少なくとも具備する
ことを特徴とする光学ピックアップ装置。
【請求項２】
前記光源からの複数の光が、前記光源からの光を分割した光とされた
ことを特徴とする請求項１記載の光学ピックアップ装置。
【請求項３】
前記光源が複数設けられて成る
ことを特徴とする請求項１記載の光学ピックアップ装置。
【請求項４】
前記複数の戻り光量により前記ヘッド部と前記光記録媒体の前記記録面との距離を検出するにあたり、全戻り光量の平均値から前記距離が求められる
ことを特徴とする請求項１記載の光学ピックアップ装置。
【請求項５】
前記複数の戻り光量により前記ヘッド部と前記光記録媒体の前記記録面との距離を検出するにあたり、全戻り光量の平均値から前記距離が求められる
ことを特徴とする請求項２記載の光学ピックアップ装置。
【請求項６】
前記複数の戻り光量により前記ヘッド部と前記光記録媒体の前記記録面との距離を検出するにあたり、全戻り光量の平均値から前記距離が求められる
ことを特徴とする請求項３記載の光学ピックアップ装置。
【請求項７】
前記複数の戻り光量により前記ヘッド部と前記光記録媒体の前記記録面との距離を検出するにあたり、全戻り光量のうち最大値及び最小値を除去した平均値から前記距離が求められる
ことを特徴とする請求項１記載の光学ピックアップ装置。
【請求項８】
前記複数の戻り光量により前記ヘッド部と前記光記録媒体の前記記録面との距離を検出するにあたり、全戻り光量のうち最大値及び最小値を除去した平均値から前記距離が求められる
ことを特徴とする請求項２記載の光学ピックアップ装置。
【請求項９】
前記複数の戻り光量により前記ヘッド部と前記光記録媒体の前記記録面との距離を検出するにあたり、全戻り光量のうち最大値及び最小値を除去した平均値から前記距離が求められる
ことを特徴とする請求項３記載の光学ピックアップ装置。
【請求項１０】
光源からの光を光記録媒体に照射して記録及び／又は再生を行う光記録再生装置であって、
光源と、
前記光源からの複数の光を光記録媒体に照射させる光学部と、
前記光記録媒体に対向して配置され、前記光源から出射された前記複数の光を近接場光として前記光記録媒体の記録面に集光させるヘッド部と、
前記光記録媒体と前記ヘッド部とを相対的に移動させる移動機構部と、
前記ヘッド部と前記光記録媒体の前記記録面との距離を調整する駆動部と、
前記ヘッド部と前記光記録媒体の前記記録面との距離を、前記光記録媒体からの複数の戻り光量により検出する光検出部と、
前記光検出部により検出された前記距離に基づき、前記記録面に対する前記ヘッドの距離を一定に保持するように前記駆動部を制御するギャップ制御部と、を少なくとも具備する
ことを特徴とする光記録再生装置。
【請求項１１】
光源からの複数の光を、光記録媒体の記録面に、前記光記録媒体の記録面と対向して配置されるヘッド部により近接場光として照射して、
前記光記録媒体の前記記録面からの複数の戻り光量により前記ヘッド部と前記光記録媒体の記録面との間隔を検出する
ことを特徴とするギャップ検出方法。
【発明の詳細な説明】
【技術分野】
【０００１】
本発明は、近接場光を用いて信号の記録及び再生のうち少なくとも一方を行う光学ピックアップ装置、光記録再生装置及びギャップ検出方法に関する。
【背景技術】
【０００２】
近年、記録密度の高密度化、大容量化の要求から、開口数の大なる集光レンズを利用して、光記録媒体に対して近接場光を照射して記録、再生を行う方法が種々提案されている。このような近接場光を利用する集光レンズとして、ソリッドイマルジョンレンズ（ＳＩＬ）と非球面レンズ等の光学レンズとを組み合わせた開口数1以上を実現する集光レンズが提案されている。
【０００３】
近接場光を用いた光記録再生装置において、光ヘッドのＳＩＬなどの先端側レンズの端面と、光記録媒体の信号の記録面との距離は、入射光の波長の１／４程度とされ、現在用いられている光源の波長範囲では略１００ｎｍ以下、数十ｎｍ程度に保持することが要求されている。
そこで、従来は、光ヘッドの先端レンズ（ＳＩＬ）端面に全反射臨界角以上の角度で光を入射させ、単一スポットを形成し、近接場光が生じる距離において戻り光量が変化することを利用して、レンズ端面と光記録媒体の記録面との距離、いわゆるギャップを検出し、検出値を被制御量として、フィードバック制御を構成することで、このギャップを一定に保持している（例えば特許文献１参照。）。
【０００４】
また、戻り光量により検出した信号を、周波数帯で分離することにより、再生信号とギャップエラー信号とを抽出してギャップ制御を行う方法が提案されている。（例えば特許文献２参照。）。
【０００５】
【特許文献１】特開２００１−７６３５８号公報
【特許文献２】特開２００２−３１９１５３号公報
【特許文献３】特願２００２−３４１３７８号
【発明の開示】
【発明が解決しようとする課題】
【０００６】
また、本出願人は、光源からの光を偏向方向によって分離して、再生信号とギャップエラー信号とを分離してギャップ制御を行う方法、またその分離手段としてウォラストンプリズムや、グラントムソンプリズムなどを用いる方法を提案した（例えば特許文献３参照。）。
しかしながら、上記の各方法による場合、ギャップを検出する位置が光記録媒体上に形成されるスポットの１点のみなので、このスポット部分に例えば油分子などによる微細なダスト等の凸部、またキズ等による凹部が存在すると、光ヘッドがこれらのいわゆるデフェクトによる凹凸に追従してしまい、ギャップサーボが乱れ、ＳＩＬ端面が光記録媒体に衝突する恐れがある。
実用的には、通常のギャップ未満のサイズのデフェクトには光ヘッドが追従することなく、光記録媒体の記録面と略一定の距離を保ちながら、光記録媒体上を光ヘッドが走査することが望ましい。
【０００７】
以上のような事情に鑑み、本発明の目的は、光記録媒体上にあるデフェクト等による凹凸部が存在しても、ＳＩＬなどの光ヘッド部の端面と光記録媒体との間のギャップを安定して略一定に保持する光学ピックアップ装置、光記録再生装置及びギャップ検出方法を提供することを目的とする。
【課題を解決するための手段】
【０００８】
上記目的を達成するため、本発明に係る光学ピックアップ装置は、光源と、光源からの複数の光を光記録媒体に照射させる光学部と、光記録媒体に対向して配置され、光源から出射された複数の光を近接場光として光記録媒体の記録面に集光させるヘッド部と、このヘッド部と光記録媒体の記録面との距離を調整する駆動部と、ヘッド部と光記録媒体の記録面との距離を、光記録媒体からの複数の戻り光量により検出する光検出部と、光検出部により検出された距離に基づき、記録面に対するヘッドの距離を一定に保持するように駆動部を制御するギャップ制御部とを少なくとも具備することを特徴とする。
【０００９】
また、本発明は、上述の光学ピックアップ装置において、光源からの複数の光が、光源からの光を分割した光とされたことを特徴とする。
更に、本発明は、上述の光学ピックアップ装置において、光源が複数設けられて成ることを特徴とする。
【００１０】
また、本発明は、上述の光学ピックアップ装置において、複数の戻り光量によりヘッド部と光記録媒体の記録面との距離を検出するにあたり、ヘッド部と光記録媒体の記録面との距離が、全戻り光量の平均値から求められることを特徴とする。
更に、本発明は、上述の光学ピックアップ装置において、複数の戻り光量によりヘッド部と光記録媒体の記録面との距離を検出するにあたり、ヘッド部と光記録媒体の記録面との距離が、全戻り光量のうち最大値及び最小値を除去した平均値から求められることを特徴とする。
【００１１】
また、本発明による光記録再生装置は、光源からの光を光記録媒体に照射して記録及び／又は再生を行う光記録再生装置であって、光源と、光源からの複数の光を光記録媒体に照射させる光学部と、この光記録媒体に対向して配置され、光源から出射された複数の光を近接場光として光記録媒体の記録面に集光させるヘッド部と、光記録媒体とヘッド部とを相対的に移動させる移動機構部と、ヘッド部と光記録媒体の記録面との距離を調整する駆動部と、ヘッド部と光記録媒体の記録面との距離を、光記録媒体からの複数の戻り光量により検出する光検出部と、光検出部により検出された距離に基づき、記録面に対するヘッドの距離を一定に保持するように駆動部を制御するギャップ制御部と、を少なくとも具備することを特徴とする。
【００１２】
また、本発明によるギャップ検出方法は、光源からの複数の光を、光記録媒体の記録面に、この光記録媒体の記録面と対向して配置されるヘッド部により近接場光として照射し、光記録媒体の記録面からの複数の戻り光量によりヘッド部と光記録媒体の記録面との間隔を検出することを特徴とする。
【発明の効果】
【００１３】
上述したように、本発明の光学ピックアップ装置及びギャップ検出方法によれば、複数の光による光記録媒体からも戻り光量を用いて光記録媒体の記録面と、これに対向するヘッド部との間隔すなわちギャップを検出することから、一つのスポットのみによるギャップ検出ではなく、２つ以上のスポットによってギャップを検出することから、光記録媒体上に、例えば目的とする間隔以下のサイズの微細な凹凸部が存在しても、この凹凸部のみに追従することなく、平均的にギャップを一定に保持することができることとなり、結果的に安定したギャップ制御が可能となる。
【００１４】
また、本発明による光学ピックアップ装置において、１つの光源からの光を分離して複数の光を得ることによって、光学系をより簡易な構成とすることができる。
更に、本発明による光学ピックアップ装置において、複数の光源を設ける構成とすることによって、戻り光量を十分に得ることができて、精度良く光記録媒体の記録面とヘッド部との距離を制御することができる。
【００１５】
また、本発明による光学ピックアップ装置において、複数の戻り光量によりヘッド部と光記録媒体の記録面との距離を検出するにあたり、全戻り光量の平均値からこの距離を求めることによって、上述したように微細な凹凸部のみにヘッド部が追従することなく、より安定したギャップ制御を行うことができる。
更に、本発明による光学ピックアップ装置において、複数の戻り光量によりヘッド部と光記録媒体の記録面との距離を検出するにあたり、全戻り光量のうち最大値及び最小値を除去した平均値からこの距離を求めることによって、より平均的なギャップの検出を行うことができ、安定したギャップ制御を行うことが可能となる。
【００１６】
また、本発明による光記録再生装置によれば、より安定したギャップ制御が可能となり、微細なダストの混入による不安定動作が抑制され、近接場光による記録及び／又は再生を安定に行うことができる光記録再生装置を提供することができる。
【発明を実施するための最良の形態】
【００１７】
以下、本発明を実施するための最良の形態の例について説明するが、本発明は以下の例に限定されるものではない。
【００１８】
（１）第1の実施の形態例
図１は、本発明による光学ピックアップ装置を備えた光記録再生装置の一例の概略構成図である。この例においては、１つの光源から出射された光を回折格子（グレーティング）により分離して複数の光を近接場光としてヘッド部４２により光記録媒体９に照射する例を示す。
【００１９】
図１に示すように、この例においては、情報源１からの情報に基づき例えばディスク状の光記録媒体９に記録を行う場合の光照射態様の一例を示し、レーザーダイオード（ＬＤ）等より成る光源３から出射される光は、情報源１により情報信号に対応して変調され、また自動パワー制御手段（ＡＰＣ）２により出力が制御される。そしてこの出射光は、光学部４１においてコリメーターレンズ４により平行光とされ、グレーティング５により複数のスポットに分割され、ビームスピリッター６、ミラー７を介して、ヘッド部４２に入射される。ヘッド部４２には、ソリッドイマルジョンレンズ（ＳＩＬ）１０及び非球面レンズ等より成る光学レンズ１６から構成される開口数1以上を達成する集光レンズにより近接場光を光記録媒体９に照射する光学系が構成される。ヘッド部４２は、駆動部４３を構成するアクチュエーター８に例えばＳＩＬ１０及び光学レンズ１６が設置されて構成される。そして、光学部４１から出射された光はヘッド部４２により光記録媒体９の情報が記録される記録面に近接場光として照射される。
なお、光記録媒体９は、これを回転移動する例えば回転手段１５より成る移動機構部４６に保持され、図示しないが例えばヘッド部４２側を光記録媒体９の記録面に沿って平行移動する水平移動機構との連動によって、ヘッド部４２から照射される近接場光が光記録媒体９の盤面に沿って例えばスパイラル状、同心円状の記録トラックに沿って走査される構成とする。
【００２０】
図１においては、１つの光路のみを示しているが、図２Ａ及びＢにおいては、上述のグレーティング５により３本のビームに分離した場合の光記録媒体９上に形成されるスポット２１〜２３の平面構成を示す。図２Ａは、トラック２０の延長方向に対して直交する方向にスポット２１〜２３が配列されている例を示し、図２Ｂは、トラック２０の延長方向に平行にスポット２１〜２３が配列されている例を示している。
【００２１】
なお、後述するように、図２Ａに示すスポットの配列方向はラジアル方向、図２Ｂに示すスポットの配列方向はタンジェンシャル方向に存在するデフェクト等による影響を低減化した制御をそれぞれ行うことができる。
ここで、図３に示すように、ディスク状の光記録媒体９に対し、トラッキング方向を破線ｘ、トラックの延長する例えば円周の接線方向を破線ｙ、光記録媒体９とヘッド部４２との間隔を調整するいわゆるギャップ方向を破線ｚでそれぞれ示す。なお、矢印ｒ及びｔは、それぞれラジアル方向及びタンジェンシャル方向の傾きを示す。
【００２２】
このようにして配列されたスポットの検出態様について、再び図１を参照して説明する。この場合、光記録媒体９から反射された光は、ヘッド部４２を介してビームスプリッター６により反射されて、フォトディテクター（ＰＤ）１２より成る光検出部４４において検出される。
フォトディテクター１２は、図示しないが、上述の複数のスポットからの戻り光を受光するため、スポットと同数の受光部を有する構成とし得る。
【００２３】
そしてこのようにして検出された戻り光量が、ギャップサーボ１３に入力され、後述する検出方法に基づいて、検出光量値から制御信号に変換され、ギャップ制御信号Ｓｇが出力され、アクチュエーター８による駆動部４３に入力されてギャップの補正がなされる。その結果、ＳＩＬ１０と光記録媒体９とのギャップが一定に保持される。
【００２４】
図４は、グレーティングにより分割された入射光が、ヘッド部４２を介して光記録媒体９に入射される入射態様を示した概略構成図である。光源側から順に非球面レンズ１６とＳＩＬ１０が配置され、近接場光を光記録媒体９に照射するヘッド部４２は、２軸アクチュエーター等のアクチュエーター８に設置されている。図示の例では、グレーティング５により３分割された入射光Ａ、Ｂ及びＣが、ＳＩＬ１０に対して、入射光が全反射する角度で入射される。なお、図４において、一点鎖線ＣＡ、ＣＢ及びＣＣは、分離した各入射光の光軸を示す。ＳＩＬ１０の光記録媒体側端面に結像している３点から光記録媒体９に浸みだしている光が、前述の図２において説明した光記録媒体９上の３つのスポット２１〜２３を形成する。
【００２５】
次に、図５Ａ及びＢを参照して、近接場光を用いる光記録媒体９に対するＳＩＬ１０と光記録媒体９とのギャップの検出方法について説明する。図５Ａは、光記録媒体９とヘッド部４２とのギャップ、すなわちＳＩＬ１０の光記録媒体側の端面とのギャップを示す概略構成図であり、図５Ｂはギャップに対する全反射戻り光量の変化を示す図である。図５Ａにおいて、図４と対応する部分には同一符号を付して重複説明を省略する。
【００２６】
ＳＩＬ１０と光記録媒体９との間隔（ギャップ）が、一般に、入射光の波長の１／４以下とされる近接場光が生じる距離以上である場合、すなわち図５Ｂにおいて破線矢印Ｆｆで示すファーフィールド領域では、ＳＩＬ１０の端面で全反射を起こす角度で入射した光は、この端面において入射光は全反射するので、図５Ｂに示すように、戻り光量Ｌｒは常に一定である。
【００２７】
一方、ＳＩＬ１０と光記録媒体９とのギャップが、入射光の波長λの略１／４以下となり、近接場光が生じる距離以下となって破線矢印Ｆｎで示すニアフィールド領域に入ると、ＳＩＬ１０の端面から全反射する角度で入射した光の一部が浸みだしてくるので、戻り光量Ｌｒは減少する。そして、ＳＩＬ１０と光記録媒体９が接触するところ（すなわちギャップが０の位置）で、光記録媒体９に入射光の全てを透過してしまうので、戻り光量Ｌｒはゼロになる。
【００２８】
このような近接場光を生じるギャップ領域における戻り光量の変化は、破線矢印Ｆｎで示すニアフィールドの領域で生じ、ギャップが略λ／４の位置から光記録媒体に近づくにつれて緩やかに戻り光量は減少し始め、中間部分では略線形に減少し、更に光記録媒体表面に近づいた領域では再び緩やかに漸減する曲線が得られる。
そこで、この全反射戻り光量がギャップ長に対して一定範囲で略線形に変化することを利用して、ＳＩＬ１０と光記録媒体９との間のギャップを戻り光量から検出し、これをもとにギャップを図５Ｂに示すように例えば一定の値ｄに保持する場合、戻り光量Ｌｒがこのギャップに対応する目標値αに保持されるように、ギャップ制御部によりアクチュエーター８等の駆動によりギャップを一定化制御することができる。
【００２９】
図６は、光記録媒体９上に油分子等の極微細なダストなどより成るデフェクト１７が存在する場合のＳＩＬ１０と光記録媒体９との位置関係を示す概略構成図である。図４において説明した例と同様に、例えば３つのスポットを用いる場合、上述のギャップ検出方法によって、矢印Ｄａ、Ｄｂ及びＤｃで示す各間隔を検出することができる。
【００３０】
図６から明らかなように、光記録媒体９にデフェクト１７が存在しない位置、すなわち矢印Ｄａ及びＤｂで示すギャップは略等しい。
つまり、
Ｄａ=Ｄｃ
となる。しかしながら、デフェクト１７が存在する位置のギャップＤｂは他の位置のギャップと等しくなく、
Ｄｂ＜Ｄａ（＝Ｄｃ）
となり、デフェクト１７の影響を受けることになる。
【００３１】
従って、従来のように１つのスポットのみを用いてギャップを検出する場合は、ギャップＤｂによる全反射戻り光量ｙｂのみでギャップサーボを行うこととなり、デフェクトの影響を受けて、ＳＩＬ１０のギャップが変動することになる。この場合の移動軌跡を図７Ａに示すＳＩＬの移動態様の概略構成図において、矢印Ｔで示す。
この場合、時刻ｔ１０までは、デフェクト１７が存在しないので、ギャップは所定の距離で一定に保持されているが、時刻ｔ１０にてデフェクト１７の影響で、ギャップが短くなったと検出されるので、ギャップサーボによりＳＩＬ１０を光記録媒体９から引き離すように制御する。デフェクト１７を通過後、デフェクト１７が存在しないので、今度はギャップが広くなったと検出され、逆にＳＩＬ１０を光記録媒体９に接近させるようにギャップサーボが働く。
【００３２】
この際に、時刻ｔ２の直後の移動軌跡に示すように所定のギャップ長に引き込む際にオーバーシュートが生じる可能性もある。このとき、ＳＩＬ１０と光記録媒体９が所定のギャップ長よりも短くなるため、ＳＩＬ１０と光記録媒体９が衝突する危険性が生じる。その後、時刻ｔ３にて、所定のギャップ長に整定する。
【００３３】
以上のように、従来方法により１つのスポットでギャップを検出する場合は、デフェクトが存在すると、ギャップサーボが乱れ、時刻ｔ１０〜ｔ３までは所定のギャップ長からずれるので、安定した記録及び／又は再生が行えないことになる。上述の例では、デフェクトが凸状の場合を示したものであるが、デフェクトが凹状の場合においても同様な現象が生じる。
【００３４】
しかしながら、このような極微細な凹凸部が存在しても、光記録媒体９は略一定のギャップをもって移動することが望ましい。
本発明によれば、上述したように、複数のスポットによる戻り光量を検出してギャップ制御を行うことから、光記録媒体９にデフェクト１７が存在しても、このデフェクト１７の影響を受けず、図７ＢのようにＳＩＬ１０を略一定の間隔をもって光記録媒体９上を移動させることができる。
【００３５】
このように、デフェクトによる影響を低減化したギャップ制御を行うには、以下のような制御方法を採り得る。
つまり、図８に示すように、一般にｎ個のスポットが光記録媒体上に形成されている場合を考え、それぞれのスポットで検出される全反射戻り光量を、それぞれｙ１、ｙ２、・・・、ｙｎ−１、ｙｎとする。このとき、ギャップサーボに用いるギャップエラーｅを次のようにすることができる。
【００３６】
（１）以下の数１に示すように、全てのスポットによる全反射戻り光量の平均をとる。
【００３７】
【数１】
2005332447.tif 000003
【００３８】
または、
（２）以下の数２に示すように、最小、最大の全反射戻り光量を除いて平均をとる。
【００３９】
【数２】
2005332447.tif 000004
【００４０】
なお、上記数２で示す式を用いてギャップエラーを得る上記（２）の場合には、必ずしも検出された全反射戻り光量の内の最大値、最小値である必要はなく、最大値及びその次に大きい値を除去してもよい。また、最小値及びその次に小さい値を除去してもよい。
このように、デフェクトの影響を低減化したギャップ制御を確実に行うためには、全戻り光量の平均値を求める場合は３つ以上、最大値及び最小値を除いて平均値を求めて戻り光量を得る場合は４つ以上のスポットを形成することが望ましい。
【００４１】
このように、上記（１）又は（２）で得られるエラー信号を被制御信号としてギャップサーボ１３に入力することで、デフェクトの影響を受けにくく、略一定な距離をもった移動が可能なギャップ制御を行うことが可能となる。なお、ギャップサーボの構成としては、例えば位相補償フィルター、ＰＩＤ（Proportional Integral Differential）コントローラ等を用いることができる。
【００４２】
この場合、記録乃至再生が行えない領域は、図７Ｂにおいてデフェクトが存在する区間（ｔ１０−ｔ１１）のみであり、図７Ａに示す従来方法による場合の記録再生不可能な区間（ｔ１０−ｔ３）に比べて、格段に短くなることがわかる。従って、本発明による場合は、このような微細なデフェクトが存在してもギャップサーボが乱れることなく、従来よりも安定した記録及び／又は再生が行えることになる。
【００４３】
また、上述したように、１つのレーザー等の光源から出射される光をグレーティング５等により分割することで、複数のスポットを光記録媒体９上に形成する場合は、比較的簡単な装置構成でより安定したギャップ制御を行うことが可能となる。
次に、複数の光源を用いる本発明の実施の形態例について説明する。
【００４４】
（２）第２の実施の形態例
上述の第1の実施の形態例において説明した例は、１つの光源からの光をグレーティング５により分割することで、複数のスポットを光記録媒体９上に形成していたが、図９に示すように、複数の光源を用いて複数のスポットを得ることも可能である。図９において、図1と対応する部分には同一符号を付して重複説明を省略する。
この場合、３つの情報源１ａ、1ｂ及び１ｃから異なる情報信号がＡＰＣ２ａ〜２ｃを介して光源３ａ〜３ｃに入力され、各光源から出射された光は、コリメーターレンズ４ａ〜４ｃ、ビームスプリッター６ａ、６ｂ及びミラー１４によりそれぞれ反射され、図示しないが光軸を例えば1トラック分ずらして、この場合３つのスポットに分離して、ヘッド部４２を介して光記録媒体９の記録面において隣接する３トラックに近接場光として照射される構成とすることができる。
【００４５】
この場合の光記録媒体上のスポット配置態様を図１０の概略平面構成図に示す。この例においては、複数のスポットで同時に記録する構成であるので、スポット２１〜２３の配置は、隣接するトラック２０上に並ぶラジアル方向の配置となる。
このような構成とする場合、光記録媒体９上において３トラック分の記録を同時に行うことができ、記録情報の転送レートを３倍に高めることができると共に、これらの光を利用して、前述の図６及び図７において説明したギャップ検出方法により、デフェクトの影響を抑制したギャップ制御を行うことができる。
この場合、１つのスポットに対して１つの光源を用いることから、十分な戻り光量を得ることができ、比較的精度よくギャップ制御を行うことが可能となる。
【００４６】
（３）第３の実施の形態例
次に、図９において説明した例と同様に、３つの光源を用いると共に、グレーティングを併用してラジアル方向及びタンジェンシャル方向にスポットを配置する例を図１１の概略構成図に示す。図１１において、図９と対応する部分には同一符号を付して重複説明を省略する。
【００４７】
この例においては、３つの光源３ａ〜３ｃのうち１つの光源３ｂの光路上、コリメーターレンズ４ｂとビームスプリッター６ｂとの間にグレーティング５を配置する。グレーティング５の回折方向を適切に選定することによって、光記録媒体９上のスポット配置態様を図１２に示すように、光源３ａ〜３ｃからの光を隣接するトラック２０に並べて配置すると共に、光源３ｂからのメインスポット２２の両側に、グレーティング５によるサブスポット２４及び２５を、記録トラックに沿って配置する構成とすることができる。
【００４８】
このような構成とすることによって、隣接するトラックに配置されるスポット２１〜２３によって光記録媒体９上において３トラック分の記録を同時に行うことができて、記録情報の転送レートを３倍に高めることができ、更に、１トラック上に配列されるスポット２４、２２及び２５によりタンジェンシャル方向のギャップ制御を行うことができる。
このとき、上記数１又は数２に示す方法によりエラー信号を得ることによって、デフェクトの影響を低減化したギャップ制御を精度良く行うことができる。
【００４９】
（４）第４の実施の形態例
次に、本発明を記録再生装置の再生システムに適用した例について説明する。図１３は、１つのレーザー等の光源３を用いて、グレーティング５により複数のスポットを光記録媒体９上に形成する場合の再生装置の概略構成図を示す。図１３において、図１と対応する部分には同一符号を付して重複説明を省略する。この場合の光記録媒体９の記録面上のスポットの配置態様を図１４Ａ及びＢに示す。なお、これは、記録再生装置に適用した図２Ａ及びＢにおいて説明した例と同様である。
【００５０】
この場合、再生ＲＦ信号は、戻り光量をフォトディテクター１２で受光することで検出できる。また、再生ＲＦ信号を、低域通過フィルターを通して観察することで、サーボ信号を検出でき、ギャップサーボ１３へのエラー信号が得られる。
このような構成とすることによって、再生システムにおいても同様に、前述の数１又は数２に示す方法によりエラー信号を得ることによって、デフェクトの影響を抑制して安定なギャップ制御を行うことができ、良好な再生を行うことが可能となる。
【００５１】
（５）第５の実施の形態例
次に、３つのレーザー等の光源を用いて、複数のスポットを光記録媒体上に形成する場合の記録再生装置の再生システムに適用した例について、図１５の概略構成図を参照して説明する。図１５において、図１及び図９に対応する部分には同一符号を付して重複説明を省略する。
また、この場合の光記録媒体９の記録面上のスポットの配置態様を図１６Ａ及びＢに示す。図１６Ａに示す例は、前述の図１０において説明した記録の場合と同様である。図１６Ｂに示す例は、スポット２１及びスポット２３をＲＦ再生に用いず、ギャップエラー信号検出に用いる場合である。同一トラック上に配置する場合は、スポット２１及び２３の戻り光量を検出してＲＦ再生に用いても、スポット２２によるＲＦ再生結果と同様である。
【００５２】
なお、再生ＲＦ信号は、戻り光量をフォトディテクター１２で観察することで検出できる。また、再生ＲＦ信号を、低域通過フィルターを通して観察することで、ギャップエラー信号が得られることは、前述の第４の実施の形態例と同様である。
この場合においても、上述の各形態例と同様に、上記数１又は数２によりギャップエラー信号を検出することによって、デフェクトの影響を低減化した安定なギャップ制御を行うことができて、安定した良好な再生を行うことが可能となる。
【００５３】
（６）第６の実施の形態例
次に、３つのレーザー等の光源及びグレーティングを用いて、複数のスポットを光記録媒体上に形成する場合の記録再生装置の再生システムに適用した例について、図１７の概略構成図を参照して説明する。図１７において、図１及び図１１に対応する部分には同一符号を付して重複説明を省略する。
この場合の、光記録媒体９の記録面上のスポットの配置態様を図１８Ａ及びＢに示す。図１８Ａに示す例は、前述の第３の実施の形態例において説明した図１２の例と同様である。図１８Ｂに示す例は、スポット２１及び２３をＲＦ再生に用いず、ギャップエラー信号検出に用いる場合である。スポット２１及び２３のＲＦ再生結果は、スポット２２のＲＦ再生結果と同様である。
【００５４】
そして、スポット２２のグレーティング５により分割されたサブスポット２４及び２５でもギャップエラー信号検出を行う。なお、再生ＲＦ信号は戻り光量をフォトディテクター１２で観察することで検出できる。また、再生ＲＦ信号を、低域通過フィルターを通して観察することで、ギャップエラー信号が得られることは、上述の各例と同様である。
【００５５】
このような構成とすることによって、前述の第３の実施の形態例と同様に、３トラック分の再生を同時に行うことができて、記録情報の再生転送レートを３倍に高めることができ、更に、トラック間にまたがるスポット２４、２２及び２５によりラジアル方向のギャップ制御を行い、かつ１トラック上に配列されるスポット２１、２２及び２３によりタンジェンシャル方向のギャップ制御をも行うことができる。
このように、双方向に複数のスポットを照射してギャップ制御を行うことによって、より広範囲に存在するデフェクトの影響を抑制した安定なギャップ制御を行い、より安定した良好な記録再生を行うことが可能となる。
【００５６】
以上説明したように、本発明によれば、近接場光を用いる光記録媒体に対して、記録及び／又は再生時のギャップ制御にあたり、微細なデフェクトが存在しても安定したギャップ制御を容易かつ確実に行うことができ、安定した良好な記録及び／又は再生を行うことができる。
なお、本発明は以上説明した実施の形態例の各例に限定されるものではなく、スポットを４つ以上用いるとか、又は、例えば光記録再生装置において偏光方向の相違を利用して再生信号とギャップ制御用戻り光を分離する前記特許文献３において示される方法を採る場合に、ギャップ検出用の光を複数用いる構成とするなど、本発明構成を逸脱しない範囲において、種々の変形、変更が可能である。
また、記録及び／又は再生の対象とする光記録媒体の種類も相変化記録、光磁気記録など各種の記録再生態様を採る光記録媒体に適用可能であることはいうまでもない。
【図面の簡単な説明】
【００５７】
【図１】本発明による光学ピックアップ装置を備えた光記録再生装置の一例の概略構成図である。
【図２】Ａは本発明による光学ピックアップ装置による光記録媒体上のスポットの配置態様の一例の平面構成図である。Ｂは本発明による光学ピックアップ装置による光記録媒体上のスポットの配置態様の一例の平面構成図である。
【図３】ラジアル方向及びタンジェンシャル方向の説明図である。
【図４】本発明による光学ピックアップ装置における光記録媒体への光の入射態様を示す概略構成図である。
【図５】Ａは近接場光を用いた光記録媒体とヘッド部とのギャップを示す概略構成図である。Ｂは近接場光を用いた光記録媒体におけるギャップと戻り光量との関係を示す図である。
【図６】本発明による光学ピックアップ装置のギャップ検出の説明図である。
【図７】Ａは従来の光学ピックアップ装置におけるヘッド部の移動軌跡の説明図である。Ｂは本発明による光学ピックアップ装置におけるヘッド部の移動軌跡の説明図である。
【図８】本発明による光学ピックアップ装置のスポットの配置態様の一例の平面構成図である。
【図９】本発明による光学ピックアップ装置を備えた光記録再生装置の一例の概略構成図である。
【図１０】本発明による光学ピックアップ装置による光記録媒体上のスポットの配置態様の一例の平面構成図である。
【図１１】本発明による光学ピックアップ装置を備えた光記録再生装置の一例の概略構成図である。
【図１２】本発明による光学ピックアップ装置による光記録媒体上のスポットの配置態様の一例の平面構成図である。
【図１３】本発明による光学ピックアップ装置を備えた光記録再生装置の一例の概略構成図である。
【図１４】Ａは本発明による光学ピックアップ装置による光記録媒体上のスポットの配置態様の一例の平面構成図である。Ｂは本発明による光学ピックアップ装置による光記録媒体上のスポットの配置態様の一例の平面構成図である。
【図１５】本発明による光学ピックアップ装置を備えた光記録再生装置の一例の概略構成図である。
【図１６】Ａは本発明による光学ピックアップ装置による光記録媒体上のスポットの配置態様の一例の平面構成図である。Ｂは本発明による光学ピックアップ装置による光記録媒体上のスポットの配置態様の一例の平面構成図である。
【図１７】本発明による光学ピックアップ装置を備えた光記録再生装置の一例の概略構成図である。
【図１８】Ａは本発明による光学ピックアップ装置による光記録媒体上のスポットの配置態様の一例の平面構成図である。Ｂは本発明による光学ピックアップ装置による光記録媒体上のスポットの配置態様の一例の平面構成図である。
【符号の説明】
【００５８】
１．情報源、２．パワー制御手段、３．光源、４．コリメーターレンズ、５．グレーティング、６．ビームスプリッター、７．ミラー、８．アクチュエーター、９．光記録媒体、１０.ＳＩＬ、１２．フォトディテクター、１３．ギャップサーボ、１５．回転手段、１６．光学レンズ、１７．デフェクト、４１．光学部、４２．ヘッド部、４３．駆動部、４４．光検出部、４５．制御部、４６．移動機構部
【図１】
2005332447.tif 000005
【図２】
2005332447.tif 000006
【図３】
2005332447.tif 000007
【図４】
2005332447.tif 000008
【図５】
2005332447.tif 000009
【図６】
2005332447.tif 000010
【図７】
2005332447.tif 000011
【図８】
2005332447.tif 000012
【図９】
2005332447.tif 000013
【図１０】
2005332447.tif 000014
【図１１】
2005332447.tif 000015
【図１２】
2005332447.tif 000016
【図１３】
2005332447.tif 000017
【図１４】
2005332447.tif 000018
【図１５】
2005332447.tif 000019
【図１６】
2005332447.tif 000020
【図１７】
2005332447.tif 000021
【図１８】
2005332447.tif 000022